(57)【要約】      （修正有）【課題】効率性の向上、ユーザの健康に対する安全性、適応性、使い易さ、簡易な構造、空気清浄及び改良プロセスのコスト削減が可能なユーザに健康な空気を提供するシステムを提供する。【解決手段】ユーザに健康な空気を提供するシステムは空気流を作ることができ、少なくとも１つのユーザ配置手段２を備える部屋１と、空気供給ダクト６と、制御装置３と、森林地域、山、海上又は海辺で収集され、有害不純物が除去された、或いは追加の健康な不純物を含む、健康な空気を収容する少なくとも１つの容器４と、容器から部屋に空気を供給可能な空気送出ダクト５とを備える。空気供給ダクトはフィルタを備え、周囲環境から部屋に空気を供給可能であり、部屋は少なくとも１つの測定装置７を備え、測定装置は空気の圧力、温度、湿度、空気中の不純物の量を測定可能であり、制御装置は空気流量を調節可能である。【選択図】図１
0003234144.tif 000002
【実用新案登録請求の範囲】
【請求項１】
空気流を作ることができる、ユーザに健康な空気を提供するシステム（イン．エアボックス）であって、
少なくとも１つのユーザ配置手段を備える部屋と、
空気供給ダクトと、
制御装置と、
森林地域、山、海上又は海辺で収集された、有害不純物が除去された、或いは追加の健康な不純物を含む、健康な空気を収容する少なくとも１つの容器と、
前記空気を収容する前記少なくとも１つの容器と接続され、前記少なくとも１つの容器から前記部屋に前記空気を供給可能な空気送出ダクトと、
を備え、
前記空気供給ダクトはフィルタを備えて構成され、周囲環境から前記部屋に空気を供給可能であり、
前記部屋は閉鎖可能であり、少なくとも１つの測定装置を備え、
前記少なくとも１つの測定装置は空気の圧力、温度、湿度、空気中の不純物の量及び／又はその他を測定可能であり、制御装置に接続され、
前記制御装置は前記少なくとも１つの測定装置のパラメータに応じて前記空気送出ダクト及び前記空気供給ダクトを介して供給される空気流量を調節可能であることを特徴とする、ユーザに健康な空気を提供するシステム（イン．エアボックス）。
【請求項２】
前記空気送出ダクトは前記空気供給ダクトを介して前記少なくとも１つの容器から前記部屋に前記空気を供給可能であることを特徴とする、請求項１に記載のユーザに健康な空気を提供するシステム（イン．エアボックス）。
【請求項３】
前記空気供給ダクトは換気システム又は調整システムを介して周囲環境から前記空気を供給可能であることを特徴とする、請求項１に記載のユーザに健康な空気を提供するシステム（イン．エアボックス）。
【請求項４】
前記部屋の外に前記空気を排出可能な空気排出ダクトをさらに備えることを特徴とする、請求項１に記載のユーザに健康な空気を提供するシステム（イン．エアボックス）。
【請求項５】
香料、フィトンチッド、薬剤及び／又はその他を前記部屋に供給可能な追加空気ダクトをさらに備えることを特徴とする、請求項１に記載のユーザに健康な空気を提供するシステム（イン．エアボックス）。
【請求項６】
前記空気供給ダクト及び前記空気送出ダクトはファンを備えることを特徴とする、請求項１に記載のユーザに健康な空気を提供するシステム（イン．エアボックス）。
【請求項７】
前記空気送出ダクトは対応する前記ユーザ配置手段に配置された前記ユーザに直接前記空気を供給可能であることを特徴とする、請求項１に記載のユーザに健康な空気を提供するシステム（イン．エアボックス）。
【請求項８】
前記部屋は医用室、トレーニングルーム、車両の内部、車両のキャビン、リビングルーム、鉄道輸送のコンパートメント、地下鉄車両又は飛行機内部の内部空間、又はその他であることを特徴とする、請求項１に記載のユーザに健康な空気を提供するシステム（イン．エアボックス）。
【請求項９】
前記空気送出ダクトは部屋調整システム又は部屋換気システムに接続されていることを特徴とする、請求項１に記載のユーザに健康な空気を提供するシステム（イン．エアボックス）。
【請求項１０】
前記部屋は医療診断機器を備えることを特徴とする、請求項１に記載のユーザに健康な空気を提供するシステム（イン．エアボックス）。
【考案の詳細な説明】
【技術分野】
【０００１】
本考案は、空気清浄及び改良システムに関し、詳細には、ユーザに健康な空気を提供するシステムに関する。該システムは、有害不純物が除去された化学的に健康な空気に対する家庭、医療、その他人々の要求に応えるため、リビングルーム、トレーニングルーム、医用室、仕事部屋、車両の内部及びキャビンで使用されてもよい。
【背景技術】
【０００２】
従来技術には、医療又は回復環境において、皮膚の複数の損傷に苦しんだり、産科補助を受けていたり、病的合併症に苦しむ患者の長期滞在のための条件を作成する方法が開示されている。該方法は、隔離室を備え、液体媒体を備えるバブリング及びエアリフティング装置の形態を有する気液反応器の循環ループを有害成分を含む空気が強制的に通過させられるシステムを使用することと、隔離室内の空気の組成及び温度の技術的制御の実行により有用な成分を供給することとを含む（２００３年５月２７日公開のロシア国特許第２２０５０３２号公報、Ｎｏ．１５）。
【０００３】
既知の類似物の欠点は、その非効率性、使用の不便さ、制限された機能、構造及び仕様の複雑さ及び空気清浄の高額な費用にある。
【０００４】
既知の類似物の非効率性は、液体媒体を備えるバブリング及びエアリフティング装置の形態で設計された気液反応器の循環ループに空気を通すことにより空気が浄化されるということに起因する。このように、バブリング及びエアリフティング装置には、装置内で溶解される液体及び気体の通過速度が遅いこと、有害成分を含む大量の空気を装置の内部空間に供給する技術的複雑さ、少量の空気を洗浄するための大きなエネルギーコストの必要性といった多くの重大な欠点があり、これにより、既知の類似物が、清浄する空気は少量である一方で、遅く、費用がかかるものとなっている。さらに、既知の類似物の非効率性は、空気から分離された有害物質が実際には液体中に残り、その液体を通して空気の次の部分が洗浄され、さらなる洗浄プロセスに悪影響を及ぼすという点にある。一方、空気清浄及び改良プロセスに対する有害物質の悪影響は、バブリング及びエアリフティング装置内の液体を交換し、その洗浄を特別な製品で行うことによってのみ排除され得る。
【０００５】
既知の類似物を使用することの不便さと複雑さは、洗浄される空気量の増加にあり、隔離室の寸法の増加は、空気の洗浄及び改良に必要な液体の量の増加につながり、このため、バブリング及びエアリフト装置の容積の増加につながる。大きな空間のリビングルームで既知の類似物を使用する場合、大きな循環ループを備える、対応する大きくて扱いにくい気体空気反応器を使用する必要があり、その配置とメンテナンスの問題が生じる。さらに、循環ループ内の液体に空気を通すことで健康な物質で空気を浄化、改良するプロセスは、室内で不快なかなりの騒音を発生させる可能性がある。
【０００６】
既知の類似物の機能が制限されているのは、扱いにくい装置を空気の浄化及び改良に使用しているため、既知の類似物の適用領域が制限されていることにある。既知の類似物でクレームされているシステムは、寸法の小さい移動部屋（例えば、車両内部、公共交通機関等）では使用できない。
【０００７】
既知の類似物を使用すると、空気を洗浄するために高いエネルギーコストが必要になるので、高コストになる。その一方で、既知の類似物に含まれる装置のメンテナンスには、熟練した専門家の労働力の使用だけでなく、エネルギー、時間、特殊な材料及びツールのコストが必要であり、空気清浄のコストが高くなる。
【０００８】
空気置換及び陽圧分離のためのシステムも既知であり、該システムは、家の中の圧力制御システムと、システム吸気口と、システム排気口と、可変速ファンと、ファンと通信し、ファンの速度を制御可能なモータコントローラと、システム吸気口とシステム排気口の間の空気圧差を監視可能な風速計と、モータコントローラ及び風速計と通信し、システム吸気口とシステム排気口の間の圧力差に基づいてファンの速度を変更可能な閉ループコントローラと、空気圧制御システムの空気流経路内に少なくとも１つの紫外線放射源を備える殺菌放射室とを備える。また、該システムは、システム排気口と通じる空気排出経路と、システム吸気口と通じる空気供給経路とを備える（２０１３年９月１９日公開の米国特許出願公開第２０１３２３９８０３号公報）。
【０００９】
この類似物の欠点は、その非効率性、ユーザの健康への有害性、制限された機能、構造の複雑さ、空気清浄の高いコストにある。
【００１０】
既知の類似物の非効率性は、その使用が空気の化学組成をほとんど改善せず、ユーザにとって健康な成分で空気を改良しない一方で、有害な微生物及びユーザの代謝の気体生成物から単に空気を洗浄するということに起因する。既知の類似物を通過する空気の化学組成は変化せず、ユーザの健康に大きな影響を与えない。
【００１１】
既知の類似物の健康への有害性は、少なくとも１つの強力な紫外線放射源を備える殺菌放射チャンバが空気洗浄に使用されるということに起因する。既知の類似物のユーザが長時間いる部屋に紫外線放射源を配置することは、ユーザの健康に有害である。その一方で、既知の類似物の殺菌放射チャンバの作動中に生じる悪影響の防止には、チャンバと圧力制御システムのさらなる遮蔽物が必要であり、コストがかかる。
【００１２】
既知の類似物の制限された機能は、既知の類似物が、特定のユーザのニーズに応じて設定可能な空気清浄のパラメータを調整するツールを備えていないため、空気の湿度、温度、匂い又は他の特性に関してユーザの個々のニーズや好みを満足させることができないという点にある。
【００１３】
既知の類似物を使用すると、空気を洗浄するために高いエネルギーコストが必要になるため、高コストになる。その一方で、既知の類似物に含まれる装置のメンテナンスには、エネルギー、時間、特別な材料及びツールのコストが必要であり、空気清浄のコストが高くなる。さらに、既知の類似物は、構造的に複雑な電子デバイスと他の複数の構造的に複雑な要素を備えるため、構造的に複雑であり、これにより、部屋に既知の類似物を取り付けるための労力及び材料のコストが高くなる。
【００１４】
クレームされた考案の最も近い類似物は、揮発性生物活性物質が豊富な空気媒体にユーザをさらすシステムである。該システムは、空気流を作ることができ、ユーザを配置する少なくとも１つの手段を備える部屋と、植物を収容する容器に空気を供給する要素と通じる空気供給ダクトと、空気排出ダクトと、空気供給ダクト及び空気排出ダクトに通じ、空気流を作る装置と、空気排出ダクトの入力に通じ、植物を収容する容器が配置されている部屋の一部から空気を吸い取り、ユーザを配置する少なくとも１つの手段が配置されている部分に供給することが可能な空気流発生器と、空気流を作る装置及び空気流発生器に接続された制御装置とを備える（１９９７年６月３０日公開のウクライナ国特許出願公開第１４７６５号公報、Ｎｏ．３）。
【００１５】
最も近い類似物の欠点は、非効率性、健康への有害性、制限された機能、構造の複雑さ、使用の複雑さ及び空気清浄の高いコストにある。
【００１６】
最も近い類似物の非効率性と健康への有害性は、その作動により、実際には同じ量の同じ空気がシステム内を循環し、空気は部屋に既に存在し、システムの外部から空気を供給する、又は、システムの手段によって新しい空気を供給することによって回復されるのではないということに起因する。上述の空気量は、最も近い類似物によって洗浄されず、いかなる方法においてもシステムの外に排出されないので、埃、湿気、有害な微生物、有害な物質、第一に植物及びユーザの代謝の気体生成物が、空気中に蓄積される。上記成分を含むこのような空気の後続する循環は、ユーザにとっても容器に配置された植物にとっても有害である。さらに、作り出された空気流がシステムのユーザにアレルギー反応を引き起こす可能性のある植物の微細な粒子を含むため、最も近い類似物は効果がなく健康に有害である。
【００１７】
最も近い類似物の制限された機能は、最も近い類似物でクレームされるシステムの実施形態が、部屋に配置された植物によって放出される成分又は物質とは異なる生物活性成分又は化学物質で空気を改良するために設けられる要素を示唆していないことに起因する。このような要素がないため、様々な好み又は医療ニーズを有するユーザのために最も近い類似物を設けることができなくなり、不便でコスト効率の高い他のものに植物を収容する容器を交換することになる。さらに、部屋での植物を収容する容器の配置、複数の要素からなる複雑な空気循環システムの存在により、個人輸送、公共輸送、小さい空間の部屋などで最も近い類似物を使用できないので、最も近い類似物の機能は制限される。
【００１８】
最も近い類似物の構造の複雑化、使用の複雑さ及び空気洗浄の高コストは、構造的に複雑でメンテナンスが困難な複数の要素の存在に起因し、正しい操作には、エネルギー、労働力及び材料の高コストが必要である。一方、部屋に生きた植物を収容する容器があることで、植物の観察、肥料のコスト、灌水、植物の加温が必要になり、コストがかかり、空気清浄がより高額になる。
【考案の概要】
【００１９】
クレームされた考案の技術的課題は、ユーザに健康な空気を提供する新規なシステムの創作にあり、該システムは、効率性の向上、ユーザの健康に対する安全性、適応性、使い易さ、簡易な構造、空気清浄及び改良プロセスのコスト削減を特徴とする。
【００２０】
上記技術的課題の解決方法は、ユーザに健康な空気を提供するシステム（イン．エアボックス）によって達成される。システムは、空気流を作ることができ、少なくとも１つのユーザ配置手段を備える部屋と、空気供給ダクトと、制御装置とを備える。本提案によれば、システムは、森林地域、山、海上又は海辺で収集された、有害不純物が除去された、或いは追加の健康な不純物を含む、健康な空気を収容する少なくとも１つの容器と、空気を収容する少なくとも１つの容器と接続され、少なくとも１つの容器から部屋に空気を供給可能な空気送出ダクトとを備え、空気供給ダクトはフィルタを備えて構成され、周囲環境から部屋に空気を供給可能であり、部屋は閉鎖可能であり、少なくとも１つの測定装置を備え、少なくとも１つの測定装置は空気の圧力、温度、湿度、空気中の不純物の量及び／又はその他を測定可能であり、制御装置に接続され、制御装置は前記少なくとも１つの測定装置のパラメータに応じて空気送出ダクト及び空気供給ダクトを介して供給される空気流量を調節可能である。
【００２１】
また、本提案によれば、空気送出ダクトは空気供給ダクトを介して少なくとも１つの容器から部屋に空気を供給可能である。
【００２２】
さらに、本提案によれば、空気供給ダクトは換気システム又は調整システムを介して周囲環境から空気を供給可能である。
【００２３】
さらに、本提案によれば、該システムは部屋の外に空気を排出可能な排出ダクトを備える。
【００２４】
同時に、本提案によれば、該システムは香料、フィトンチッド、薬剤及び／又はその他を部屋に供給可能な追加空気ダクトを備える。
【００２５】
また、本提案によれば、空気供給ダクト及び空気送出ダクトはファンを備える。
【００２６】
さらに、本提案によれば、空気送出ダクトは対応するユーザ配置手段に配置されたユーザに直接空気を供給可能である。
【００２７】
さらに、本提案によれば、部屋は医用室、トレーニングルーム、車両の内部、車両のキャビン、リビングルーム、鉄道輸送のコンパートメント、地下鉄車両又は飛行機内部の内部空間、又はその他である。
【００２８】
同時に、本提案によれば、空気送出ダクトは部屋調整システム又は部屋換気システムに接続されている。
【００２９】
さらに、本提案によれば、部屋は医療診断機器を備える。
【００３０】
クレームされた考案の技術的効果は効率性の向上にあり、ユーザの健康に対する安全性、適応性、使い易さ、構造の簡単化、空気洗浄及び改良プロセスのコスト削減を提供する。
【００３１】
本考案の本質的な特徴と予測される技術的効果の因果関係は次のとおりである。
【００３２】
クレームされた考案の本質的な特徴の集合は、クレームされたシステムが健康な空気の源を備えて部屋の空気を交換可能であることによりユーザに有益な空気を提供するシステムの効率性を向上させ、部屋に供給される空気の清浄度と有益な特性の提供によりユーザに対する安全性を提供し、特定のユーザのニーズに応じて部屋に供給される空気の特性を選択又は設定可能にシステムを設計して任意の部屋でクレームされたシステムを使用可能であることにより適応性を提供し、クレームされたシステムが複雑で高コスト効率の技術的メンテナンス、エネルギー、材料、時間及び労働力の高コストを必要とする構造的に複雑な要素を含まないことにより構造の簡単化、空気清浄及び改良プロセスのコスト削減を提供する。
【００３３】
システムが、森林地域、山、海上又は海辺で収集された、有害不純物が除去された、或いは追加の健康的な不純物を含む空気を収容する少なくとも１つの容器と、空気を収容する少なくとも１つの容器と接続され、少なくとも１つの容器から部屋に空気を供給可能な空気送出ダクトとを備えることにより、クレームされたシステムの効率性が向上させ、ユーザの健康に対する安全性を提供する。何故なら、システムは、ユーザの健康に好影響を与え有害成分を含まない空気を部屋に供給でき、ユーザの代謝の気体生成物（例えば二酸化炭素）の含有量が増加した空気を容器からの新鮮な空気と徐々に交換するからである。さらに、システムの上記要素が存在することにより、特定のユーザのニーズ及び好みに対応する化学組成及びその他の特性を有する空気で部屋を満たすことができ、また、車両の内部及びキャビン、公共交通機関など任意のサイズの部屋でクレームされたシステムを使用できるので、システムの適応性が得られる。
【００３４】
フィルタを備えて構成され、周囲環境から閉鎖可能な部屋に空気を供給可能な空気供給ダクトを備えるクレームされたシステムの設計により、クレームされたシステムの効率性を向上させ、ユーザの健康に対する安全性を提供する。何故なら、システムは、部屋の圧力、空気の温度、容器から供給される空気と既に部屋を満たしている空気の比率を調節することで、ユーザが呼吸するのに必要な任意の量の空気を部屋に供給できるからである。部屋が閉鎖可能であることにより、容器から部屋に供給される空気と空気供給ダクトを介して部屋に供給される空気が消散せず、最適な比率及び濃度で部屋に留まる。
【００３５】
クレームされたシステムが、空気の圧力、温度、湿度、空気中の不純物の量及び／又はその他を測定可能であり、制御装置に接続された少なくとも１つの測定装置を備える部屋を備えることと、制御装置が少なくとも１つの測定装置のパラメータに応じて空気送出ダクト及び空気供給ダクトを介して供給される空気流量を調節可能であることにより、クレームされたシステムの効率性を向上させ、ユーザの健康に対する安全性を提供する。何故なら、システムは、ユーザのニーズ、ユーザの健康状態、個々の好み、部屋の機能的な目的などに応じて可能な限り効果的で役立つようシステムが作動できるようにシステムを設定できるためである。同時に、システムが上記要素を備えることにより、制御装置によってシステム設定を調節することで任意の部屋及び任意のユーザのためシステムを使用可能であり、少なくとも１つの測定装置のパラメータによって誘導されることでクレームされたシステムの使用が容易になるため、クレームされたシステムの適応性が提供される。
【００３６】
それに伴い、クレームされたシステムは、その操作に必要なエネルギー、時間、複雑な技術機器、有益な材料のコストが高くなるような構造、製造方法、接続方法に関して複雑な要素を備えず、使用を容易にし、構造を簡単にし、空気清浄及び改良プロセスのコストを削減できる。
【００３７】
空気送出ダクトが空気供給ダクトを介して少なくとも１つの容器から部屋に空気を供給可能であることにより、クレームされたシステムの構造が簡単になり、また、ユーザは同時に両方の空気ダクトからの流量を制御でき、便利である。
【００３８】
空気供給ダクトが換気システム又は調整システムを介して周囲環境から空気を供給可能であることにより、クレームされたシステムの取り付け及び設定のコストを削減でき、その構造を簡単にでき、対応するシステムに接続することでクレームされたシステムを既存の部屋に統合できる。これに伴い、空気供給ダクトの設計は、換気システム又は調整システムの機能によりクレームされたシステムの機能を拡張できるので、システムの適応性が提供される。
【００３９】
クレームされたシステムが部屋の外に空気を排出可能な空気排出ダクトを備えて構成されることにより、クレームされたシステムの効率性を向上させ、ユーザの健康に対する安全性を提供できる。何故なら、ユーザの代謝の気体生成物（例えば二酸化炭素）で飽和した空気を部屋から排出でき、ユーザの健康のために部屋の空気を健康な状態に維持でき、これにより、部屋の外に排出された空気の代わりに新鮮な空気を継続的に供給できるためである。
【００４０】
クレームされたシステムが香料、フィトンチッド、薬剤及び／又はその他を部屋に供給可能な追加空気ダクトを備えることにより、クレームされたシステムの効率性を向上させ、その適応性を提供できる。何故なら、容器内の空気組成に含まれていない有用な不純物により患者の健康に好影響を与えることができ、また、システムの機能拡張及び部屋に供給される有益な化学成分の組成によりシステムのユーザの範囲を拡大できる。
【００４１】
空気供給ダクト及び空気送出ダクトがファンを備えることにより、部屋への空気供給の速度を上げることができ、クレームされたシステムの効率性を向上できる。
【００４２】
空気送出ダクトが対応するユーザ配置手段に配置されたユーザに直接空気を供給可能であることにより、クレームされたシステムの効率性を向上させ、その使用を簡単にできる。何故なら、部屋内で消散する前に空気送出ダクトからユーザに空気を供給でき、また、必要に応じて、ユーザは空気送出ダクトから直接供給される空気で呼吸できるからである。
【００４３】
部屋が医療診断機器を備えることにより、明らかになっている診断、ユーザの治療方法、ユーザの体調などを考慮して医療目的のためにクレームされたシステムを使用可能であるため、クレームされたシステムの適応性を提供できる。
【図面の簡単な説明】
【００４４】
ユーザに健康な空気を提供するためのクレームされたシステムの構造及び動作原理を以下の図を用いて説明する。
【図１】ユーザに健康な空気を提供するシステムの概略図である。
【考案を実施するための形態】
【００４５】
図１は、ユーザに健康な空気を提供するためのクレームされたシステムの可能な、しかし排他的ではない実施形態の１つを概略的に示し、これは実施形態を限定するものではない。システムは、１つのユーザ配置手段２を備える部屋１と、空気供給ダクト６と、制御装置３と、２つの容器４と、空気送出ダクト５とを備える。図示された実施形態において、クレームされたシステムの部屋１は６つの測定装置７を備え、クレームされたシステムは追加空気ダクト８と空気排出ダクト９とを備えるように構成されている。
【００４６】
部屋１は閉鎖可能であり、少なくとも１つの測定装置７を備え、少なくとも１つのユーザ配置手段２を備える。例えば、部屋は、医用室、トレーニングルーム、車両の内部、車両のキャビン、リビングルーム、鉄道輸送のコンパートメント、地下鉄車両又は飛行機内部の内部空間、又は他の同様の部屋であってもよい。また、部屋１は、医療診断機器を備えてもよい。
【００４７】
ユーザ配置手段２は、ユーザが部屋１に快適に滞在することを意図したもので、例えば、肘掛け椅子、トレーニング装置、ベッド、浴室等であってもよい。
【００４８】
制御装置３は、少なくとも１つの測定装置７に接続され、少なくとも１つの測定装置７のパラメータに応じて空気送出ダクト５及び空気供給ダクト６からの空気流量を調節可能である。例えば、そのような制御装置は、制御ボード、特別に構成されたソフトウェアがインストールされたコンピュータ及び他の同様の装置であってもよい。
【００４９】
容器４は、森林地域、山、海上又は海辺で収集された、有害不純物が除去された、或いは追加の健康な不純物を含む、収集された空気を収容し、空気送出ダクト５に接続されている。例えば、そのような容器は、気体タンクから徐々に空気を排出可能な手段を備える気体タンクであってもよい。
【００５０】
空気送出ダクト５は、少なくとも１つの容器４に接続され、少なくとも１つの容器４から部屋１に空気を供給可能である。空気送出ダクト５は、少なくとも１つの容器４から空気供給ダクト６を介して部屋１に空気を供給し、対応するユーザ配置手段２に配置されたユーザに直接空気を供給可能であり、部屋調整システム又は部屋換気システムに接続され、空気流を増強するファン又は他の同様の装置を備えてもよい。
【００５１】
空気供給ダクト６は、フィルタを備えて構成され、周囲環境から部屋１に空気を供給可能であり、換気システム又は調整システムを介して周囲環境から空気を供給可能であってもよく、ファンを備えてもよい。
【００５２】
測定装置７は、空気の圧力、温度、湿度、空気中の不純物の量及び／又はその他を測定可能であり、制御装置３に接続されている。例えば、そのような測定装置は、電子体温計、風速計、気圧計、湿度計、気体分析器、その他の類似の装置であってもよい。測定装置７は有線及び無線通信によって制御装置３に接続されてもよい。
【００５３】
図示された実施形態に含まれる追加空気ダクト８は、香料、フィトンチッド、薬剤及び／又はその他を部屋１に供給可能であり、香料、フィトンチッド、薬剤又はこれらのうちの混合物を収容する容器を備えてもよく、また、それを燃焼、放散、蒸発又は別の方法で部屋１に供給する装置を備えてもよい。
【００５４】
好適な実施形態では、ユーザに健康な空気を提供するためのクレームされたシステムは、部屋１の外に空気を排出可能な空気排出ダクト９を備える。
【００５５】
ユーザに健康な空気を提供するためのクレームされたシステムは、次のように使用される。
【００５６】
ユーザは、部屋１にいるとき、部屋１を閉じ、ユーザ配置手段２に配置されると、容器４からの空気供給を作動させ、空気送出ダクト５及び空気供給ダクト６からの空気流量を調節し、もしあればファンをオンにして、空気排出ダクト９に空気を供給し、又は、追加空気ダクト８などから香料、フィトンチッド、薬剤を供給することで、制御装置３によって自分のニーズ及び好みに応じてクレームされたシステムを設定する。
【００５７】
次に、空気流が容器４から空気送出ダクト５を介して部屋１に供給され、空気供給ダクト６のフィルタを介して周囲環境から供給される。ユーザが部屋１におり、車両を運転するとき、トレーニングの運動をするとき、薬剤をとるとき、又は部屋１に応じて他の行動を行うとき、システムの空気ダクトから供給される空気を吸う。
【００５８】
空気供給のパラメータを変更する必要がある場合、又は、クレームされたシステムをオフにする必要がある場合、ユーザは制御装置３を使用して、対応する変更を空気供給のパラメータに導入する、或いは、例えば空気供給ダクト６及び空気送出ダクト５を遮断したり、それらの送出を止めたりすることにより、空気ダクトから部屋１への空気供給を終了する。
【００５９】
したがって、ユーザに健康な空気を提供するためのクレームされたシステムは、使用が簡単であり、複雑な技術的メンテナンスを必要とせず、高額で複雑な要素を備えないので、コストが低くなり、空気清浄及び改良のためコストを高くする必要がなくなる。その適応性により、クレームされたシステムは、家庭のニーズを満たすためだけに使用されても良いし、医療、科学、スポーツの目的のために使用されてもよく、幅広い消費者を対象とした空気の洗浄、衛生及び改良のための器具となる。同時に、クレームされたシステムは、コンテナ４などから大量の空気を洗浄するための副作用、不便又は遅延なしに、ユーザの健康に大きな価値のある影響を与える。
【００６０】
クレームされた本質的な特徴の集合を備える、ユーザに健康な空気を提供するためのクレームされたシステムは、特許及び科学技術情報の既存のソースでは明らかになっていないため、提案された技術的解決方法は「新規」の基準を満たす。
【００６１】
提案された技術的解決方法は、現段階の技術開発において再現できないような構造的要素及び材料を含まないため、産業上の利用可能性を有する。
【図１】
0003234144.tif 000003